(57)【要約】【課題】映画製作会社及び配給会社本意により製作された映画を地域交流、地域復興、地域活性、地域娯楽普及として上映する事もあるが、その上映地域の状況はすべて無視された映画であり、あくまでも出来上がっている映画を上映しているにすぎず、特に地域ごとに製作された映画を上映している訳ではない。。【解決手段】地域住民、地域特性をそれぞれ映画の一場面に盛り込む事により、地域密着度は高くなり、各地域に公開した作品を「地域ごとの作品」として残し、地域交流、地域復興、地域活性、地域文化普及として活用できる。又、観覧料無料で上映する事を前提に、製作された映画の配給を希望する地域の団体、企業もしくは個人に有償で配給する事により、その地域での動員の為の広告及び宣伝はそれぞれの地域が担当し、従来の様な宣伝及び広告、動員確保に対する労力が大幅に減る。【選択図】        なし【特許請求の範囲】
【請求項１】
映画上映を希望する地域の団体、企業、個人に、「地域社会に密着した日常生活を舞台とした基本ストーリーを持つ映画」に上映地域ごとの地域住民及び地域特性を映画の一場面に盛り込んで地域密着意識を高めた映画を製作・配給し、全国の上映希望地域の上映可能な白いスクリーンもしくはそれに相当する白色面を持つ施設又は設置可能な施設で上映する地域密着型映画製作・興行システム。
【請求項２】
１年以上の期間において全国各地を巡業していく請求項１記載の地域密着型映画製作・興行システム。
【請求項３】
映画配給を受けた団体、企業もしくは個人が地域交流、地域復興、地域活性、地域文化普及を目的に上映イベントを開催し、無料で映画を公開する事を目的とした請求項１、請求項２記載の地域密着型映画製作・興行システム。
【発明の詳細な説明】
【０００１】
【発明が属する技術分野】
本発明は、１年以上の期間において全国各地を巡業する地域密着型映画制作・興行のシステムに関するものである。
【０００２】
【従来の技術】
映画製作会社が自社製作した映画もしくは配給権を取得した映画を全国主要都市にある自社系列の映画館にて全国同時上映をしている。
【０００３】
自社製作した映画もしくは配給権を取得した映画は、一部の映画放映機材が常置されている映画館もしくはそれに相当する施設において公開され、一年未満の期間で公開を終了する。
【０００４】
映画は多大な宣伝広告費を掛けて広く告知し、短期間に大量動員する事を目的として興行している。
【０００５】
映画制作費用、興行費用の大部分を、映画配給権の販売及び映画の観覧を希望する個人に販売される映画観賞券による販売収益で賄う事を目的に映画は製作されている。
【０００６】
ミニシアター映画館では、自社製作ではない配給権を取得した映画を映画鑑賞券販売による収益を目的に単館でのみ上映をしている。
【０００７】
映画製作会社及び配給会社本意によって映画製作及び興行をしている。
【０００８】
映画製作会社及び配給会社本意により製作された映画を地域イベントの一環として上映しており、特に子供向けのアニメーション映画を上映している。
【０００９】
【発明が解決しようとする課題】
全国主要都市にある自社系列の映画館にて上映されるのみであり、映画館の無い地域では見る事が出来ない。
【００１０】
多大な宣伝広告費を掛けて全国同時公開する為、映画館での大量動員が見込める期間のみの公開が前提となり、短期間上映となる。
【００１１】
映画観賞券販売による収入に依存して映画制作・興行されている為、大量動員が見込めない地域及び期間での上映は実現しない。
【００１２】
その結果、短期間上映となる為、映画鑑賞券販売による十分な資金回収が困難になり、観覧料以外での収益（ＴＶやビデオへの版権収益）に頼らざるを得ず、オリジナル作品や自社製作の映画製作へのリスク過多が生じる。
【００１３】
映画製作会社及び配給会社本意による作品製作、公開をしている為、地域への密着度は低く、地域交流、地域復興、地域活性、地域娯楽普及としての活用は困難である。
【００１４】
映画製作会社及び配給会社本意により製作された映画を地域交流、地域復興、地域活性、地域娯楽普及として上映する事もあるが、その上映地域の状況はすべて無視された映画であり、あくまでも出来上がっている映画を上映しているにすぎず、特に地域ごとに製作された映画を上映している訳ではない。
【００１５】
本発明の目的は前記従来例の不都合を解消し、地域交流、地域復興、地域活性、地域娯楽普及を目的とした地域密着度の高い各地域ごとで製作した映画の提供を目的とするものである。
【００１６】
【課題を解決するための手段】
本発明は前記目的を達成する為、映画制作・興行スタイルとしては、映画の無料公開を前提とした配給制度、地域密着型の映画制作スタイル、を導入した事、および１年以上の期間においての全国各地を巡業していく事を要旨とするものである。
【００１７】
上映可能な白いスクリーンもしくはそれに相当する白色面を持つ施設又は設置可能な施設であれば屋内、屋外に限定することなく上映する事により、全国どこでも上映可能になる。
【００１８】
地域住民、地域特性をそれぞれ映画の一場面に盛り込む事により、地域密着度は高くなり、各地域に公開した作品を「地域ごとの作品」として残し、地域交流、地域復興、地域活性、地域文化普及として活用できる。
【００１９】
地域密着で映画製作・興行する事により、地域市民の参加意識は高くなり、宣伝や動員が容易になる。
【００２０】
興行自体を地域の通年行事として組み込める為、作品製作のシリーズ化が容易になる。
【００２１】
観覧料無料で上映する事を前提に、製作された映画の配給を希望する地域の団体、企業もしくは個人に有償で配給する事により、その地域での動員の為の広告及び宣伝はそれぞれの地域が担当し、従来の様な宣伝及び広告、動員確保に対する労力が大幅に減る。
【００２２】
【発明の実施の形態】
以下、本発明の実施の形態を詳細に説明する。
【００２３】
映画製作会社が地域社会に密着した日常生活を舞台とした基本ストーリーを持つ映画を製作する。
【００２４】
前記映画の基本ストーリー製作においての配役決定に当り、シリーズによっていくつかの地域に限定してオーディションを行い、一般市民を多く起用する。
【００２５】
各地域でのオーディションの募集、告知の一切を興行協力を約束した各地域の団体、企業又は個人が実施し、本映画の地域住民への認知度、参加意識を映画製作前の段階から高める。
【００２６】
製作された地域社会に密着した日常生活を舞台とした基本ストーリーを持つ映画を興行協力を希望する地域の団体、企業又は個人に配給を決定する。
【００２７】
配給が決定した地域において地域住民から出演者をオーディションにて募り、各地域独自に挿入される数場面を撮影し、ベースとして製作された基本ストーリーを持つ映画に組み込み、その地域独自の映画に仕上げる。
【００２８】
配給された映画は地域イベントの一環として全国各地の映画放映可能な白いスクリーンもしくはそれに相当する白色面を持つ施設で放映する。この場合、映画放映機材が整っているか否かは問題ではない。又、屋内であるか屋外であるかも問題ではない。
【００２９】
本映画の上映に当り、観覧料は無料であり、小さな子供からお年寄りまで、誰でも見る事が出来る。
【００３０】
本発明の地域独自性を組み込んだ映画は、主要映画館では上映しない為、観覧を希望する者は地域イベントに参加し、観覧する必要があり、通常地域イベントに参加していない人達が地域イベントに参加する事により、地域交流、地域復興、地域活性、地域娯楽普及の場が拡大する。
【００３１】
上映を終えた地域は、次回上映までの期間に次回作品のオーディション、映画出演者を迎えてのイベントを通年で企画し、一貫性のある通年イベントを組む。
【００３２】
映画は次の地域に渡り、またその地域で地域住民から出演者をオーディションにて募り、各地域独自に挿入される数場面を撮影し、ベースとして製作された基本ストーリーを持つ映画に組み込み、その地域独自の映画に仕上げ、地域イベントの一環として上映する。
【００３３】
前記の繰り返しで一年以上の期間、全国各地を巡業し、地域交流、地域復興、地域活性、地域娯楽普及に貢献する。
【発明の効果】
【００３４】
以上、述べた様に本発明と映画製作・興行システムは、地域住民、地域特性が映画の一場面に盛り込み、又観覧料を無料として地域住民の関心を高くし、１年以上の期間において全国各地を巡業して、映画を通して地域社会を活性化させるために用いられるものである。